(57)【特許請求の範囲】
【請求項１】
有底円筒形状をしたヨークの一枚板状の筒底部に冷却風が通過するための通気孔を開設してなる電動モータにおいて、前記通気孔は、該通気孔の上半部が前記ヨーク筒底部の外側に向けて膨出し、下半部が前記ヨーク筒底部の内側に向けて没入するよう、該ヨーク筒底部に対して外内齟齬状になるよう前記一枚板状のヨーク筒底部に対し横方向に長い分断線を１回のプレス加工で剪断することにより形成されていることを特徴とする電動モータ。
【請求項２】
請求項１において、前記上半部は、前記下半部側ほど前記ヨーク筒底部の外側に膨出する球形状になっており、前記下半部は、前記上半部側ほど前記ヨーク筒底部の内側に向けて没入するよう形成されていることを特徴とする電動モータ。
【請求項３】
請求項２において、横方向に長い分断線は、前記上下半部の横方向中央部が前記上半部側に入り込こみ、該中央部から横方向両端側に至るほど下側に傾斜した山形状をしていることを特徴とする電動モータ。
【請求項４】
有底円筒形状をしたヨークの一枚板状の筒底部に冷却風が通過するための通気孔を開設してなる電動モータの製造方法において、前記通気孔を、該通気孔の上半部が前記ヨーク筒底部の外側に向けて膨出し、下半部が前記ヨーク筒底部の内側に向けて没入するよう、該ヨーク筒底部に対して外内齟齬状になるよう前記一枚板状のヨーク筒底部に対し横方向に長い分断線を１回のプレス加工で剪断して形成したことを特徴とする電動モータの製造方法。
【発明の詳細な説明】
【技術分野】
【０００１】
本発明は、ラジエータファン用電動モータ等の電動モータの技術分野に属するものである。
【背景技術】
【０００２】
一般に、この種電動モータのなかには、有底円筒形状をしたヨークの筒底部に、冷却効果を向上させるため通気孔を開設したものがあるが、この通気孔を、プレス等で打ち抜いて形成した単純な開口とした場合、該開口から雨水等の水がモータ内に入ってしまうという問題がある。
この改善策として、通気孔を左右方向に長い長孔とし、そして上側長辺部をケーシング外側に突出させ、下側長辺部をケーシング内側に没入させた内外齟齬構造として上側長辺部を庇状にして外部からの水の浸入を防止しようとしたものがある（特許文献１参照）。
【特許文献１】特開２００３−９４５６号公報
【発明の開示】
【発明が解決しようとする課題】
【０００３】
ところが前記従来のものは、通気孔の上下長辺部が内外齟齬状に形成されていて庇構造になっていたとして、該通気孔を正面視したとき、実際に開口している長孔が存在し、しかもこの長孔は内外齟齬状にしたことにより実質的な開口面積が大きくなってしまう結果、防水性が未だ劣るだけでなく、通気孔を形成するためには、切断屑が発生するため、長孔の打ち抜き加工と上下長辺部の成形加工との二工程のプレス加工が必要になって作業性が劣るという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、有底円筒形状をしたヨークの一枚板状の筒底部に冷却風が通過するための通気孔を開設してなる電動モータにおいて、前記通気孔は、該通気孔の上半部が前記ヨーク筒底部の外側に向けて膨出し、下半部が前記ヨーク筒底部の内側に向けて没入するよう、該ヨーク筒底部に対して外内齟齬状になるよう前記一枚板状のヨーク筒底部に対し横方向に長い分断線を１回のプレス加工で剪断することにより形成されていることを特徴とする電動モータである。
請求項２の発明は、請求項１において、前記上半部は、前記下半部側ほど前記ヨーク筒底部の外側に膨出する球形状になっており、前記下半部は、前期上半部側ほど前記ヨーク筒底部よりも内側に向けて没入するよう形成されていることを特徴とする電動モータである。
請求項３の発明は、請求項２において、横方向に長い分断線は、前記上下半部の横方向中央部が前記上半部側に入り込こみ、該中央部から横方向両端側に至るほど下側に傾斜した山形状をしていることを特徴とする電動モータである。
請求項４の発明は、有底円筒形状をしたヨークの一枚板状の筒底部に冷却風が通過するための通気孔を開設してなる電動モータの製造方法において、前記通気孔を、該通気孔の上半部が前記ヨーク筒底部の外側に向けて膨出し、下半部が前記ヨーク筒底部の内側に向けて没入するよう、該ヨーク筒底部に対して外内齟齬状になるよう前記一枚板状のヨーク筒底部に対し横方向に長い分断線を１回のプレス加工で剪断して形成したことを特徴とする電動モータの製造方法である。
【発明の効果】
【０００５】
請求項１または４の発明とすることにより、通気孔は、通気孔の上半部が外側に位置し、下半部が内側に位置する齟齬状になって防水性を高めることができる。
請求項２の発明とすることにより、分断線の分断により通気孔を形成しながら、充分な通気面積を確保することができる。
請求項３の発明とすることにより、通気面積の大きい横方向中央部から流れ落ちようとする水は、傾斜した横両側辺部に誘導される状態で流れ落ちることになって、より防水性を高めることができる。
【図面の簡単な説明】
【０００６】
【図１】電動モータの一部断面側面図である。
【図２】電動モータの正面図である。
【図３】ヨークの一部断面図側面図である。
【図４】（Ａ）は通気孔の正面図、（Ｂ）は（Ａ）のＹ−Ｙ断面図、（Ｃ）は（Ａ）のＺ−Ｚ断面図である。
【符号の説明】
【０００７】
１    電動モータ
２    ヨーク
２ａ  筒底部
１１    通気孔
１２    上半部
１３    下半部
Ｘ    分断線
【発明を実施するための最良の形態】
【０００８】
次ぎに、本発明の実施の形態について、図面に基づいて説明する。図中、１はラジエータファン用の電動モータであって、該電動モータ１は、後述する有底円筒形をしたヨーク２、該ヨーク２の開口を閉塞するエンドブラケット３、ヨーク筒底部２ａとエンドブラケット３との間に軸受け４、４ａを介して回転自在に軸支されるアーマチュアコア軸５、該アーマチュアコア軸５に止着されるアーマチュアコア６、該アーマチュアコア６に巻装されるコイル７、ヨーク周面部２ｂの内側に止着される永久磁石８、さらにはコンミテータ９、ブラシ１０等の各種部材を用いて構成されていることは従来通りである。【０００９】
前記ヨーク筒底部２ａには、本発明が実施された通気孔１１が前記アーマチュアコア軸５を軸芯とする状態で軸周り方向に複数が点在的に形成されているが、これら通気孔１１は次のようにして形成されている。【００１０】
通気孔１１は、図２、図４（Ａ）から明らかなように横方向（左右方向）に長くなるようにして上下に分断（剪断）して設けられる上半部１２の上側長辺部と下半部１３の下側長辺部とのあいだの間隙に形成されているが、該通気孔１１を形成するための分断線Ｘは、水平線（横線）状になっていて前記上下長辺部の横方向中央辺部１２ａ、１３ａを形成する部位が上半部１２側に入り込み、上下長辺部の左右両辺部１２ｂ、１３ｂを形成する部位が端部側にいくほど下側に傾斜した山形状になっている、つまり、前記横方向に長い分断線Ｘは、上下半部の横方向中央部が上半部１２側に入り込こみ、該中央部から横方向両端側に至るほど下側に傾斜した山形状をしており、この分断線Ｘに従う状態で分断された上半部１２は、下側ほどヨーク筒底部２ａの外側に向けて膨出するよう球（椀）状に形成され、下半部１３は、ヨーク筒底部２ａの内側に向けて僅かではあるが上側ほど没入するよう形成されていて内外齟齬状態になっており、このような分断成形は、上半部１２が下半部１３に対して外側に切り伸ばすように形成することで、切断屑の発生がない一回のプレス加工でできるようになってる。
【００１１】
叙述の如く構成された本発明の実施の形態において、通気孔１１は、上半部１２が下半部１３に対して外下方側に切り伸ばし形成することで、横方向に長い分断線Ｘを境にして、該分断線Ｘの上側に形成される上半部１２が、ヨーク筒底部２ａよりも筒底外に膨出する状態となって、下半部１３に対して外内齟齬状に分断され、しかも図２のように正面視したとき通気孔１１が見えず、単純に分断線Ｘが見えるだけの状態で形成される。このため、通気孔１１を正面視したときに、従来のように切り落とした開口を単純に内外齟齬状にしたもののように、正面視したときに開口自体が目視されることがなく、この結果、防水性の向上が図れることになる。しかも通気孔１１は、上半部１２を下半部１３に対して外下方側に切り伸ばすことで、分断線Ｘでの分断および上半部１２、下半部１３の加工ができることになって、開口を開設するもののように切断屑が発生しないので、一回のプレス加工でできることになり、作業性が向上する。
【００１２】
しかもこのものでは、筒底外に膨出する上半部１２が、下側ほど筒底部２ａから外側に膨出する球形状になっているため、分断線Ｘの分断により通気孔を形成しながら、充分な通気面積を確保することができる。
そのうえ分断線Ｘは、横方向中央部が上半部１２側に入り込んだ山形形状をしているため、通気面積の大きい横方向中央部から流れ落ちようとする水は、傾斜した横方向両側辺部側に誘導される状態で流れ落ちることになって、より防水性を高めることができる。
【００１３】
尚、本発明は前記実施の形態に限定されるものではなく、上半部の膨出形状は球形状でなく、錘形状等、適宜の形状で実施することができ、また下半部は、筒底面より内側に没入させておくことが好ましいが、必ずしもその必要はなく、要は上半部とのあいだで内外齟齬状になっていれば良いものである。
【産業利用上の可能性】
【００１４】
本発明は、ラジエータファン用電動モータ等の電動モータに有用であって、有底円筒形状をしたヨークの筒底部に、冷却効果を向上させるための通気孔を開設した電動モータにおいて、該通気孔を上半部が外側に位置し、下半部が内側に位置する齟齬状に開設することで、充分な通気面積を確保し、かつ、防水性を高めることができ、さらに、通気孔の形成工程を簡易化することができる。
【図１】
0004876072.tif 000002
【図２】
0004876072.tif 000003
【図３】
0004876072.tif 000004
【図４】
0004876072.tif 000005